(57)【特許請求の範囲】
【請求項１】
軸部と、
弾性層と、表面が該弾性層に接着された接着層と、を有し、該接着層の裏面が前記軸部の軸方向の少なくとも一端部で前記軸部の外周面から離れ且つ他の部分で前記軸部に接着され、前記軸部に螺旋状に巻き付けられた清掃材と、
前記接着層の裏面が前記軸部の外周面から離れた前記少なくとも一端部に設けられ、前記軸部の外周面から離れた位置で前記接着層に接触する接触部材と、
を備え、前記弾性層を被清掃体に接触させて該被清掃体を清掃する清掃体。
【請求項２】
前記接触部材は、前記軸部の周方向に沿って形成され前記軸部との間で前記弾性層を押さえる押え部を備える請求項１に記載の清掃体。
【請求項３】
前記押え部は、前記軸部との間で前記弾性層を押さえる第１内径部と、前記第１内径部よりも前記軸部の軸方向中央側に配置され前記第１内径部よりも内径が大きく、前記軸部との間で前記弾性層を押さえる第２内径部と、を備える請求項２に記載の清掃体。
【請求項４】
前記押え部は、前記弾性層を露出させる切欠部を有する請求項２又は請求項３に記載の清掃体。
【請求項５】
請求項１〜４のいずれか１項に記載の清掃体の前記接触部材を回転可能に支持する支持部材と、
回転する前記被清掃体に前記清掃材が接触して、前記接触部材及び前記軸部が一体に従動回転しながら、前記被清掃体を清掃する前記清掃体と、
を備える清掃装置。
【請求項６】
請求項５に記載の清掃装置と、
回転する前記被清掃体としての帯電体と、
を備える帯電装置。
【請求項７】
請求項５に記載の清掃装置と、
被帯電体と、
前記被帯電体を帯電させ、回転する前記被清掃体としての帯電体と、
が装置本体に一体に着脱可能に組み立てられた組立体。
【請求項８】
請求項５に記載の清掃装置と、
像を保持可能な像保持体と、
前記像保持体を帯電させ、回転する前記被清掃体としての帯電体と、
前記帯電体によって帯電した前記像保持体を露光し、静電潜像を形成する露光装置と、
前記露光装置によって前記像保持体に形成された静電潜像を現像する現像装置と、
を備える画像形成装置。
【発明の詳細な説明】
【技術分野】
【０００１】
本発明は、清掃体、清掃装置、帯電装置、組立体及び画像形成装置に関する。
【背景技術】
【０００２】
特許文献１には、クリーニング手段を、帯電ローラの軸線方向に延在して該ローラ表面に当接する螺旋状の弾性部材で構成してなる帯電ローラのクリーニング装置が開示されている。
【先行技術文献】
【特許文献】
【０００３】
【特許文献１】特開平８−１３７２０８号公報（図１）
【発明の概要】
【発明が解決しようとする課題】
【０００４】
本発明は、軸部に接着された清掃材をその軸部から剥がれにくくすることを課題とする。
【課題を解決するための手段】
【０００５】
請求項１の発明は、軸部と、弾性層と、表面が該弾性層に接着された接着層と、を有し、該接着層の裏面が前記軸部の軸方向の少なくとも一端部で前記軸部の外周面から離れ且つ他の部分で前記軸部に接着され、前記軸部に螺旋状に巻き付けられた清掃材と、前記接着層の裏面が前記軸部の外周面から離れた前記少なくとも一端部に設けられ、前記軸部の外周面から離れた位置で前記接着層に接触する接触部材と、を備え、前記弾性層を被清掃体に接触させて該被清掃体を清掃する清掃体である。
【０００６】
請求項２の発明は、前記接触部材は、前記軸部の周方向に沿って形成され前記軸部との間で前記弾性層を押さえる押え部を備える請求項１に記載の清掃体である。
【０００７】
請求項３の発明は、前記押え部は、前記軸部との間で前記弾性層を押さえる第１内径部と、前記第１内径部よりも前記軸部の軸方向中央側に配置され前記第１内径部よりも内径が大きく、前記軸部との間で前記弾性層を押さえる第２内径部と、を備える請求項２に記載の清掃体である。
【０００８】
請求項４の発明は、前記押え部は、前記弾性層を露出させる切欠部を有する請求項２又は請求項３に記載の清掃体である。
【０００９】
請求項５の発明は、請求項１〜４のいずれか１項に記載の清掃体の前記接触部材を回転可能に支持する支持部材と、回転する前記被清掃体に前記清掃材が接触して、前記接触部材及び前記軸部が一体に従動回転しながら、前記被清掃体を清掃する前記清掃体と、を備える清掃装置である。
【００１０】
請求項６の発明は、請求項５に記載の清掃装置と、回転する前記被清掃体としての帯電体と、を備える帯電装置である。
【００１１】
請求項７の発明は、請求項５に記載の清掃装置と、被帯電体と、前記被帯電体を帯電させ、回転する前記被清掃体としての帯電体と、が装置本体に一体に着脱可能に組み立てられた組立体である。
【００１２】
請求項８の発明は、請求項５に記載の清掃装置と、像を保持可能な像保持体と、前記像保持体を帯電させ、回転する前記被清掃体としての帯電体と、前記帯電体によって帯電した前記像保持体を露光し、静電潜像を形成する露光装置と、前記露光装置によって前記像保持体に形成された静電潜像を現像する現像装置と、を備える画像形成装置である。
【発明の効果】
【００１３】
本発明の請求項１の構成によれば、接触部材が、軸部の外周面から離れた位置で接着層に接触しない場合に比べ、軸部に接着された清掃材をその軸部から剥がれにくくできる。
【００１４】
本発明の請求項２の構成によれば、軸部との間で弾性層を押さえる押え部を備えない場合に比べ、軸部に接着された清掃材をその軸部から剥がれにくくできる。
【００１５】
本発明の請求項３の構成によれば、第１内径及び第２内径部を備えない場合に比べ、軸部に接着された清掃材をその軸部から剥がれにくくできる。
【００１６】
本発明の請求項４の構成によれば、弾性層を露出させる切欠部を備えない場合に比べ、弾性層を被清掃体に接触させる接触面積を増大できる。
【００１７】
本発明の請求項５の構成によれば、接触部材が、軸部から離れた位置で接着層に接触しない場合に比べ、軸部に接着された清掃材をその軸部から剥がれにくくできる。
【００１８】
本発明の請求項６の構成によれば、接触部材が、軸部から離れた位置で接着層に接触しない場合に比べ、軸部に接着された清掃材をその軸部から剥がれにくくできる。
【００１９】
本発明の請求項７の構成によれば、接触部材が、軸部から離れた位置で接着層に接触しない場合に比べ、軸部に接着された清掃材をその軸部から剥がれにくくできる。
【００２０】
本発明の請求項８の構成によれば、接触部材が、軸部から離れた位置で接着層に接触しない場合に比べ、軸部に接着された清掃材をその軸部から剥がれにくくできる。
【図面の簡単な説明】
【００２１】
【図１】図１は、本実施形態に係る画像形成装置の構成を示す概略図である。
【図２】図２は、本実施形態に係る清掃装置の構成を示す概略図である。
【図３】図３は、本実施形態に係る発泡材における軸部の軸方向に沿った断面を示す図である。
【図４】図４は、本実施形態に係る清掃体の構成を示す概略図である。
【図５】図５は、本実施形態に係る押え部材の構成を示す断面図である。
【図６】図６は、本実施形態に係る押え部材の構成を示す斜視図である。
【図７】図７は、本実施形態に係る押え部材を軸部に装着する際の清掃材の状態変化を示す概略図である。
【図８】図８は、保持部の内壁にテーパを形成した変形例を示す概略図である。
【図９】図９は、接着層が保持部のみに接触する変形例を示す概略図である。
【図１０】図１０は、本実施形態に係る清掃体の清掃動作を説明するための説明図である。
【図１１】図１１は、弾性層の端部から接着層がはみ出すように構成した変形例を示す概略図である。
【図１２】図１２は、保持部が軸部の端面を被覆する変形例を示す概略図である。
【図１３】図１３は、押え部材が第１内径部のみで構成された変形例を示す概略図である。
【図１４】図１４は、押え部材に替えて接触部材で構成した変形例を示す概略図である。
【図１５】図１５は、軸部を軸受によって回転可能に支持した変形例を示す概略図である。
【発明を実施するための形態】
【００２２】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。なお、図中に示す矢印ＵＰは鉛直方向上方を示す。
【００２３】
画像形成装置１０の装置本体１０Ａの内部には、図１に示すように、入力される画像データに対して画像処理を行なう画像処理部１２が設けられている。
【００２４】
この画像処理部１２は、入力された画像データをイエロー（Ｙ）、マゼンタ（Ｍ）、シアン（Ｃ）、ブラック（Ｋ）の４色の階調データに処理するようになっており、この処理された階調データを受け取って、レーザ光ＬＢによる画像露光を行う露光装置１４が装置本体１０Ａ内の中央に設けられている。
【００２５】
また、露光装置１４の上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に間隔をおいて配置されている。なお、Ｙ，Ｍ，Ｃ，Ｋを区別して説明する必要が無い場合は、Ｙ，Ｍ，Ｃ，Ｋを省略して記載することがある。
【００２６】
これらの４つの画像形成ユニット１６Ｙ、１６Ｍ、１６Ｃ、１６Ｋは、すべて同様に構成されており、回転駆動される円柱状の被帯電体の一例としての像保持体１８と、この像保持体１８の外周面を帯電する帯電装置２０と、帯電装置２０により帯電した像保持体１８の外周面に露光装置１４の画像露光によって形成された静電潜像を、各色のトナーで現像してトナー画像として可視化する現像装置２２と、像保持体１８の外周面を清掃する清掃部材２４と、を含んで構成されている。
【００２７】
像保持体１８は、形成される像を保持可能に構成されており、具体的には、感光体で構成されている。帯電装置２０は、像保持体１８の外周面を帯電する帯電体の一例としての帯電ロール２３と、帯電ロール２３を清掃する清掃装置１００と、を備えて構成されている。
【００２８】
帯電ロール２３は、像保持体１８の外周面に接触して回転し、像保持体１８の外周面を帯電するようになっている。なお、帯電ロール２３は、清掃装置１００よって清掃される被清掃体の一例である。なお、清掃装置１００の具体的構成は、後述する。
【００２９】
各画像形成ユニット１６Ｙ、１６Ｍ、１６Ｃ、１６Ｋは、装置本体１０Ａに着脱可能に構成されており、装置本体１０Ａに一体に着脱可能に組み立てられた組立体として機能する。なお、組立体としては、少なくとも、像保持体１８、帯電ロール２３及び清掃装置１００を備えていればよい。
【００３０】
また、画像形成ユニット１６Ｙ、１６Ｍ、１６Ｃ、１６Ｋは、ユニット化されずに、例えば、共通の支持フレームに支持され、装置本体１０Ａに着脱されない構成であってもよい。されない構成であってもよい。
【００３１】
また、露光装置１４には、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるようになっている。
【００３２】
なお、半導体レーザから出射されたレーザ光ＬＢ−Ｙ、ＬＢ−Ｍ、ＬＢ−Ｃ、ＬＢ−Ｋは、図示しないｆ−θレンズを介して回転多面鏡であるポリゴンミラー２６に照射され、このポリゴンミラー２６によって偏向走査されるようになっている。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００３３】
また、この露光装置１４は、その周囲が直方体状の筐体２８によって密閉されている。そして、筐体２８の上部には、４本のレーザ光ＬＢ−Ｙ、ＬＢ−Ｍ、ＬＢ−Ｃ、ＬＢ−Ｋを、画像形成ユニット１６Ｙ、１６Ｍ、１６Ｃ、１６Ｋの像保持体１８上に向けて透過させる透光部材３０Ｙ、３０Ｍ、３０Ｃ、３０Ｋが設けられている。
【００３４】
一方、各画像形成ユニット１６Ｙ、１６Ｍ、１６Ｃ、１６Ｋの上方には、一次転写ユニット２１が設けられている。この一次転写ユニット２１は、無端状の中間転写ベルト３２と、中間転写ベルト３２が巻き掛けられ、回転駆動して中間転写ベルト３２を矢印方向に周回させる駆動ロール４０と、中間転写ベルト３２が巻き掛けられ、中間転写ベルト３２に張力を付与する張力付与ロール３６と、中間転写ベルト３２の外周面を清掃する清掃部材３８と、中間転写ベルト３２を挟んで像保持体１８Ｙ、１８Ｍ、１８Ｃ、１８Ｋの反対側に配置される一次転写ロール３４Ｙ、３４Ｍ、３４Ｃ、３４Ｋと、を含んで構成されている。
【００３５】
そして、この４つの一次転写ロール３４Ｙ、３４Ｍ、３４Ｃ、３４Ｋによって、画像形成ユニット１６Ｙ、１６Ｍ、１６Ｃ、１６Ｋの像保持体１８上に順次形成されたイエロー（Ｙ）、マゼンタ（Ｍ）、シアン（Ｃ）、ブラック（Ｋ）の各色のトナー画像が、中間転写ベルト３２上に、多重に転写される構成となっている。
【００３６】
また、中間転写ベルト３２を挟んで駆動ロール４０の反対側には、二次転写ロール４２が設けられている。中間転写ベルト３２上に多重に転写されたイエロー（Ｙ）、マゼンタ（Ｍ）、シアン（Ｃ）、ブラック（Ｋ）の各色のトナー画像は、中間転写ベルト３２により搬送され、駆動ロール４０と二次転写ロール４２に挟まれ、搬送経路５６に沿って搬送される記録媒体Ｐに二次転写されるようになっている。
【００３７】
さらに、二次転写ロール４２に対して記録媒体Ｐの搬送方向下流側（以下単に下流側と言う）には、記録媒体Ｐに転写されたトナー画像を熱及び圧力により記録媒体Ｐに定着する定着装置４４が設けられている。
【００３８】
また、定着装置４４の下流側には、トナー画像が定着した記録媒体Ｐを画像形成装置１０の装置本体１０Ａの上部に設けられた排出部４８に排出する排出ロール４６が設けられている。
【００３９】
一方、画像形成装置１０の装置本体１０Ａ内の下側には、記録媒体Ｐが収容される収容部５０が設けられている。さらに、この収容部５０に収容された記録媒体Ｐを搬送経路５６へ送り出す送出ロール５２が設けられ、送出ロール５２の下流側には、記録媒体Ｐを１枚ずつ分離して搬送する分離ロール５４が設けられている。また、分離ロール５４の下流側には、搬送タイミングを合わせる位置合せロール５８が設けられている。これにより、収容部５０から送り出された記録媒体Ｐは、予め定められたタイミングで位置合せロール５８によって中間転写ベルト３２と二次転写ロール４２とが接する位置（二次転写位置）へ搬送される構成となっている。
【００４０】
さらに、排出ロール４６の隣りには、定着装置４４によって片面に画像が定着された記録媒体Ｐを、排出ロール４６によって排出部４８に排出せずに、両面用搬送経路６２に搬送する搬送ロール６０が設けられている。これにより、両面用搬送経路６２に沿って搬送される記録媒体Ｐは、 表裏が反転された状態で、位置合せロール５８へと再度搬送され、今度は、記録媒体Ｐの裏面にトナー画像が転写・定着されて排出部４８上に排出されるようになっている。
【００４１】
この構成により、以下のように記録媒体Ｐに画像が形成される。
【００４２】
先ず、画像処理部１２から露光装置１４に各色の階調データが順次出力され、この露光装置１４から階調データに応じて出射されたレーザ光ＬＢ−Ｙ、ＬＢ−Ｍ、ＬＢ−Ｃ、ＬＢ−Ｋは、帯電装置２０（帯電ロール２３）によって帯電した像保持体１８の外周面に走査露光され、像保持体１８の外周面に静電潜像が形成される。像保持体１８上に形成された静電潜像は、現像装置２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００４３】
さらに、画像形成ユニット１６Ｙ、１６Ｍ、１６Ｃ、１６Ｋの上方に渡って配置された一次転写ユニット２１の一次転写ロール３４によって、像保持体１８上に形成されたイエロー（Ｙ）、マゼンタ（Ｍ）、シアン（Ｃ）、ブラック（Ｋ）の各色のトナー画像が、周回する中間転写ベルト３２上に多重に転写される。
【００４４】
また、周回する中間転写ベルト３２上に多重に転写された各色のトナー画像は、二次転写ロール４２により、収容部５０から送出ロール５２、分離ロール５４、位置合せロール５８によって搬送経路５６で搬送された記録媒体Ｐに二次転写される。
【００４５】
さらに、トナー画像が転写された記録媒体Ｐは、定着装置４４へと搬送される。記録媒体Ｐに転写されたトナー画像は、定着装置４４によって記録媒体Ｐに定着され、定着された後、画像形成装置１０の装置本体１０Ａの上部に設けられた排出部４８に排出ロール４６によって排出される。
【００４６】
さらに、記録媒体Ｐの両面に画像を形成させる場合は、定着装置４４によって片面に画像が定着された記録媒体Ｐを、排出ロール４６によって排出部４８に排出せずに、搬送方向を切り替え、搬送ロール６０を介して両面用搬送経路６２へと搬送する。そして、両面用搬送経路６２に沿って記録媒体Ｐを搬送することで、記録媒体Ｐの表裏が反転され、記録媒体Ｐが再度位置合せロール５８へと搬送される。今度は、記録媒体Ｐの裏面にトナー画像が転写・定着され、転写・定着された後、排出部４８上に排出ロール４６によって排出される。
【００４７】
（本実施形態に係る清掃装置の構成）
次に、本実施形態に係る清掃装置の構成を説明する。図２は、本実施形態に係る清掃装置の構成を示す概略図である。
【００４８】
本実施形態に係る清掃装置１００は、図２に示すように、被清掃体の一例としての帯電ロール２３を清掃する清掃体１０２を備えている。清掃体１０２は、帯電ロール２３の軸方向に沿って配置された軸部１０４と、軸部１０４の外周に螺旋状に巻き付けられた清掃材１０６と、を備えている。
【００４９】
軸部１０４は、円柱状に、かつ、金属材で形成されており、帯電ロール２３の軸方向に沿って長さを有している。
【００５０】
清掃材１０６は、帯状に形成されると共に、図５に示すように、弾性変形可能な弾性層１０７Ａと、表面が弾性層１０７Ａに接着され裏面が軸部１０４に接着された接着層１０７Ｂと、を有している。尚、接着層１０７Ｂは単層の接着層であっても複数層の接着層であっても良い。また、複数層の接着層で構成させる場合には、接着層同士の間に導電層、非導電層、半導電層、断熱層、伝熱層などの非接着層を介在させても良い。
【００５１】
弾性層１０７Ａは、例えば、ウレタン樹脂等で形成されたスポンジにより構成されている。接着層１０７Ｂは、例えば、接着剤、両面テープなどの接着材により、構成されている。清掃材１０６は、接着層１０７Ｂによって、軸部１０４の外周にその軸方向一端部から他端部にわたって固定されている。
【００５２】
清掃材１０６は、図３に示すように、軸部１０４の軸方向Ｓに沿った断面において、４辺（曲線を含む）で囲まれた四辺形状とされており、軸部１０４の軸方向Ｓにおける両端部で径方向Ｒ外側へ突出する突出部１０６Ａを有している。この突出部１０６Ａは、例えば、清掃材１０６に対して張力を付与することにより、清掃材１０６の外周面（図３における上面）の中央部１０６Ｂと、両端部１０６Ａとで外径差を生じさせることで形成される。なお、清掃材１０６は、その巻き方向と直交する方向（図２におけるＺ方向）に沿った断面においても、同様に、４辺（曲線を含む）で囲まれた四辺形状とされており、その幅方向における両端部で径方向Ｒ外側へ突出する突出部１０６Ａを有している。
【００５３】
清掃体１０２では、清掃材１０６の突出部１０６Ａを含む外周面（図３における上面）が帯電ロール２３に接触して、軸部１０４が従動回転するようになっている。これにより、その清掃材１０６の外周面が、帯電ロール２３の外周面を払拭すると共に、清掃材１０６の突出部１０６Ａが異物を掻き取ることにより、異物が除去されるように構成されている。
【００５４】
図４に示すように、軸部１０４の軸方向両端部には、それぞれ、軸部１０４から離れた位置で接着層１０７Ｂに接触する接触部材の一例として、清掃材１０６の長手方向両端部の各々を軸部１０４との間で押さえる円筒状の押え部材１０８が設けられている。
【００５５】
押え部材１０８は、図５（Ａ）に示すように、軸方向一端（図５（Ａ）における右端）が開放された円筒状の円筒部１０８Ａと、円筒部１０８Ａの軸方向他端（図５（Ａ）における左端）に円筒部１０８Ａと一体に設けられ、軸部１０４に保持される保持部１０８Ｂと、を備えている。
【００５６】
保持部１０８Ｂには、軸部１０４が挿入される挿入孔１０８Ｄが形成されている。軸部１０４は、例えば、Ｄカット等の回転止めがなされる断面形状とされており、挿入孔１０８Ｄに軸部１０４が挿入されることで、保持部１０８Ｂが軸部１０４に保持され、押え部材１０８は軸部１０４と一体に回転するようになっている。また、保持部１０８Ｂは、端面１０８Ｃが、軸部１０４の端面１０４Ａと同一面上をなす位置で、軸部１０４に保持されている。なお、軸部１０４の端面１０４Ａは、保持部１０８Ｂの端面１０８Ｃよりも内側（図５（Ａ）における右側）に位置していてもよい。
【００５７】
円筒部１０８Ａは、軸部１０４の周方向に沿って形成されており、第１内径部１０９Ａと、第１内径部１０９Ａよりも軸部１０４の軸方向中央側に配置され第１内径部１０９Ａよりも内径が大きい第２内径部１０９Ｂと、を備えている。このように、第１内径部１０９Ａと第２内径部１０９Ｂとの内径が異なることにより、第１内径部１０９Ａと第２内径部１０９Ｂとの間で段差が形成されている。
【００５８】
第１内径部１０９Ａは、弾性層１０７Ａを巻き込んだ接着層１０７Ｂを軸部１０４の外周面との間に挟んで、軸部１０４の外周面との間で弾性層１０７Ａ及び接着層１０７Ｂを圧縮して押さえるように構成されている。また、第２内径部１０９Ｂは、軸部１０４の外周面との間に弾性層１０７Ａを挟んで、軸部１０４の外周面との間で弾性層１０７Ａを圧縮して押さえるように構成されている。このように、第１内径部１０９Ａ及び第２内径部１０９Ｂは、軸部１０４との間で弾性層１０７Ａを押さえる押え部として機能する。尚、上述では、便宜上、第１内径部１０９Ａは、弾性層１０７Ａを巻き込んだ接着層１０７Ｂを軸部１０４の外周面との間に挟んでいると説明したが、弾性層１０７Ａを巻き込んだ接着層１０７Ｂに限らず、場合によっては、弾性層１０７Ａと共に捲れ上がった接着層１０７Ｂ、単に捲れ上がった接着層１０７Ｂ、押し剥がされて盛り上がった接着層１０７Ｂ、押し剥がされて接着層１０７Ｂ自身がジャバラ状や不規則に接着した部分の接着層１０７Ｂなどを、第１内径部１０９Ａと軸部１０４の外周面との間に挟んでも良い。更に、接着前述の層１０７Ｂが第２内径部１０９Ｂと軸部１０４の外周面との間に及んで挟まっていても良い。
【００５９】
第２内径部１０９Ｂには、図５（Ｂ）及び図６に示すように、弾性層１０７Ａを押え部材１０８の外周側へ露出させる複数の切欠部１１１が形成されている。本実施形態では、切欠部１１１は、第２内径部１０９Ｂの周方向に沿って３つ形成されている。
【００６０】
清掃装置１００は、図２に示すように、各押え部材１０８を回転可能に支持する一対の支持部材１１０を備えている。具体的には、図５（Ａ）に示すように、支持部材１１０は、それぞれ、軸部１０４の軸方向中央部側が開放され、その反対側が側壁１１０Ａにて閉鎖された円筒状の胴体部１１０Ｂを備えて構成されている。各押え部材１０８は、胴体部１１０Ｂの内壁を滑りながら、その内壁の周方向へ軸部１０４と一体に回転可能とされている。
【００６１】
図２に示すように、一対の支持部材１１０は、それぞれ、両側の側板１１２に形成された固定部１１４に固定されている。なお、本実施形態では、帯電ロール２３は、軸方向端部が支持部材１１０によって回転可能に支持され、像保持体１８は、軸方向端部が側板１１２に対して回転可能に支持されている。
【００６２】
ここで、本実施形態では、図５（Ａ）に示すように、清掃材１０６の接着層１０７Ｂの長手方向端部は、軸部１０４から軸部１０４の径方向外側に離れると共に、弾性層１０７Ａの厚み方向（図５（Ａ）における上下方向）中間部に食い込みながら丸められている。これにより、接着層１０７Ｂは、弾性層１０７Ａの一部を巻き込むと共に、軸部１０４に接着される裏面が、軸部１０４からめくり上がった状態となっている。
【００６３】
そして、接着層１０７Ｂは、軸部１０４に接着される裏面が、押え部材１０８の保持部１０８Ｂの内壁１０８Ｆ及び第１内径部１０９Ａに接触している。
【００６４】
このように、押え部材１０８に接着層１０７Ｂを接触させる構成は、例えば、以下のような手順でなされる。すなわち、図７（Ａ）に示すように、一旦、接着層１０７Ｂにより清掃材１０６を軸部１０４に接着する。次に、軸部１０４を保持部１０８Ｂの挿入孔１０８Ｄに挿入して、押え部材１０８を軸部１０４に装着することにより、保持部１０８Ｂの挿入孔１０８Ｄの縁部１０８Ｅによって、図７（Ｂ）に示すように、接着層１０７Ｂを押し剥がす。なお、図７では、清掃材１０６の状態をわかりやすくするため、押え部材１０８の一部のみを図示している。
【００６５】
なお、接着層１０７Ｂを押し剥がしやすくするために、接着層１０７Ｂの端部を軸部１０４から浮かせた後に、接着層１０７Ｂを押し剥がすようにしても良い。また、接着層１０７Ｂを押し剥がしやすくするために、図８に示すように、保持部１０８Ｂの縁部１０８Ｅが鋭角に突出するように、保持部１０８Ｂの内壁１０８Ｆ部分をテーパ形状に形成してもよい。
【００６６】
（本実施形態の作用）
次に、本実施形態の作用を説明する。
【００６７】
本実施形態では、中間転写ベルト３２に転写されずに像保持体１８に残留した現像剤等の異物は、清掃部材２４によって像保持体１８から除去される。
【００６８】
現像剤の成分中で粒子径が比較的小さい外添剤等の異物は、清掃部材２４をすり抜ける。清掃部材２４をすり抜けた外添剤等の異物は、帯電ロール２３の表面に付着する。
【００６９】
帯電ロール２３の表面に付着した異物は、清掃材１０６の突出部１０６Ａを含む外周面（図３における上面）が帯電ロール２３に接触し、その清掃材１０６の外周面が、帯電ロール２３の外周面を払拭すると共に、清掃材１０６の突出部１０６Ａが異物を掻き取ることにより除去される。
【００７０】
具体的には、図１０（Ａ）（Ｂ）に示されるように、矢印方向に回転する帯電ロール２３の外周面に付着した外添剤等の異物は、従動回転する清掃体１０２の清掃材１０６における突出部１０６Ａが帯電ロール２３の外周面に押されて清掃材１０６の高さ方向（図１０（Ａ）に示すＧ方向）と、幅方向（図１０（Ａ）に示すＨ方向）とに弾性変形（弾性圧縮）することで、清掃材１０６に押されて凝集する。そして、図１０（Ｃ）に示されるように、凝集した外添剤等の異物は、従動回転する清掃体１０２の清掃材１０６における帯電ロール２３が復元することで、この復元力より、密な状態からほぐされたり、帯電ロール２３の外周面からはじかれたりする。
【００７１】
ここで、本実施形態では、図５（Ａ）に示すように、清掃材１０６の接着層１０７Ｂが、押え部材１０８の保持部１０８Ｂの内壁１０８Ｆ及び第１内径部１０９Ａに接触している。すなわち、軸部１０４の外周面に接着された接着層１０７Ｂは、軸部１０４から離れた位置で、軸部１０４と異なる部材に対して、軸部１０４の外周面とは異なる方向を向く面に接着されている。これにより、接着層１０７Ｂが軸部１０４のみに接着される場合に比べ、接着層１０７Ｂを剥がそうとする力が接着層１０７Ｂに作用しても、その力に対抗でき、清掃材１０６の長手方向端部が軸部１０４から剥がれにくくなる。
【００７２】
また、押え部材１０８は、第１内径部１０９Ａによって、弾性層１０７Ａを巻き込んだ接着層１０７Ｂを軸部１０４との間に挟んで、その接着層１０７Ｂ及び弾性層１０７Ａを軸部１０４との間で圧縮して押さえ、第２内径部１０９Ｂによって、弾性層１０７Ａを軸部１０４との間に挟んで、軸部１０４との間で弾性層１０７Ａを圧縮して押さえる。これによっても、清掃材１０６の長手方向端部が軸部１０４からはがれにくくなる。
【００７３】
また、第２内径部１０９Ｂは、第１内径部１０９Ａよりも内径が大きいため、弾性層１０７Ａを変形させる圧力は、軸部１０４の軸方向中央側にいくにつれて緩和される。このため、押え部材１０８近傍において、弾性層１０７Ａの外径がばらつきにくく、帯電ロール２３に良好に接触させられる領域が広く確保される。
【００７４】
また、第２内径部１０９Ｂに形成された切欠部１１１から弾性層１０７Ａが露出するので、帯電ロール２３を清掃する清掃面積が増大される。
【００７５】
なお、上記実施形態では、接着層１０７Ｂは、保持部１０８Ｂの内壁１０８Ｆ及び第１内径部１０９Ａに接触していたが、図９に示すように、接着層１０７Ｂの湾曲量が図５（Ａ）に示す場合よりも小さく、接着層１０７Ｂが保持部１０８Ｂの内壁１０８Ｆにのみに接触する構成であってもよい。
【００７６】
また、図１１（Ａ）に示すように、弾性層１０７Ａの端部から接着層１０７Ｂが軸部１０４の軸方向端部へはみ出すように構成し、図１１（Ｂ）に示すように、その接着層１０７Ｂを押し剥がしながら押え部材１０８を装着するようにしてもよい。この構成によれば、接着層１０７Ｂが弾性層１０７Ａの端面に接着すると共に、接着層１０７Ｂ同士が接着される。これにより、接着層１０７Ｂが弾性層１０７Ａからはみ出さない構成に比べ、接着層１０７Ｂが弾性層１０７Ａ及び押え部材１０８に対して接触する面積が多くなる。また、この構成では、接着層１０７Ｂが弾性層１０７Ａを巻き込まずに、弾性層１０７Ａの端面１０７Ｃと押え部材１０８との間で、弾性層１０７Ａの端面１０７Ｃと押え部材１０８とに接触する。
【００７７】
また、図１２（Ａ）、（Ｂ）に示すように、保持部１０８Ｂに挿入孔１０８Ｄを形成せず、保持部１０８Ｂが軸部１０４の端面１０４Ａを被覆する構成であってもよい。この構成においても、図１２（Ａ）に示すように、接着層１０７Ｂを保持部１０８Ｂの内壁１０８Ｆにのみ接触させる構成としてもよいし、図１２（Ｂ）に示すように、接着層１０７Ｂを保持部１０８Ｂの内壁１０８Ｆ及び第１内径部１０９Ａに接触させる構成としてもよい。なお、図１２（Ａ）、（Ｂ）に示す構成では、軸部１０４の軸方向端部の軸径は、軸方向中央部側よりも小径とされている。
【００７８】
また、図１３に示すように、押え部材１０８としては、第２内径部１０９Ｂを有せず、第１内径部１０９Ａのみで構成されていてもよい。この構成においても、図１３（Ａ）に示すように、接着層１０７Ｂを保持部１０８Ｂの内壁１０８Ｆにのみ接触させる構成としてもよいし、図１３（Ａ）に示すように、接着層１０７Ｂを保持部１０８Ｂの内壁１０８Ｆ及び第１内径部１０９Ａに接触させる構成としてもよい。
【００７９】
また、軸部１０４から離れた位置で接着層に接触する接触部材としては、図１４（Ａ）（Ｂ）（Ｃ）に示すように、押え部材１０８における第１内径部１０９Ａ及び第２内径部１０９Ｂを有せず保持部１０８Ｂのみで構成された接触部材１２０であってもよい。図１４（Ｃ）に示すように、接触部材１２０には、接着層１０７Ｂを押し剥がしやすくするためのテーパ１１５を形成してもよい。
【００８０】
また、図１５に示すように、保持部１０８Ｂの端面１０８Ｃから軸部１０４を突出させると共に、押え部材１０８ではなく、軸部１０４を軸受１２２によって回転可能に支持する構成であってもよい。なお、図１３及び図１４に示す構成においても、図１５に示すように、軸部１０４を軸受１２２によって回転可能に支持する構成であってもよい。また、軸受１２２は、図示のように、転がり軸受であっても、すべり軸受であってもよい。
【００８１】
本発明は、上記の実施形態に限るものではなく、種々の変形、変更、改良が可能である。
【符号の説明】
【００８２】
１０   画像形成装置
１０Ａ 装置本体
１４   露光装置
１６Ｙ 画像形成ユニット（組立体の一例）
１８   像保持体（被帯電体の一例）
２０   帯電装置
２３   帯電ロール（被清掃体の一例、帯電体の一例）
２２   現像装置
１００ 清掃装置
１０２ 清掃体
１０４ 軸部
１０６ 清掃材
１０７Ｂ      接着層
１０７Ａ      弾性層
１０８ 押え部材（接触部材の一例）
１０９Ａ      第１内径部（押え部の一例）
１０９Ｂ      第２内径部（押え部の一例）
１１０ 支持部材
１１１ 切欠部
【図１】
0005540714.tif 000002
【図２】
0005540714.tif 000003
【図３】
0005540714.tif 000004
【図４】
0005540714.tif 000005
【図５】
0005540714.tif 000006
【図６】
0005540714.tif 000007
【図７】
0005540714.tif 000008
【図８】
0005540714.tif 000009
【図９】
0005540714.tif 000010
【図１０】
0005540714.tif 000011
【図１１】
0005540714.tif 000012
【図１２】
0005540714.tif 000013
【図１３】
0005540714.tif 000014
【図１４】
0005540714.tif 000015
【図１５】
0005540714.tif 000016